(57)【要約】【課題】  使用形態に応じて表示自体の視認力を制御可能とする。【解決手段】  視認力抑制装置６は、入力装置２からの表示モード変更指示、近距離無線装置４からの自動車の鍵解除の有無、あるいは光センサ５による周囲の明度に従って、いずれの表示モードで表示装置２の表示を制御するかを判断し、データ記憶装置３に記憶されている、それぞれの表示モードでの設定値に従って、表示装置１の表示（輝度、コントラスト、色合い、フォント色、表示エリアのサイズ）を制御する。【選択図】    図１
2006126461.tif 000002
【特許請求の範囲】
【請求項１】
文字や画像などの情報を表示する情報端末において、
前記情報を記憶する記憶手段と、
前記情報を表示する表示手段と、
使用形態を指定する使用形態指定手段と、
前記記憶手段に記憶されている情報を前記表示手段に表示する際に、前記使用形態指定手段により指定される使用形態に基づいて、表示対象の視認性を制御する視認性制御手段と
を具備することを特徴とする情報端末。
【請求項２】
前記視認性制御手段は、前記表示対象の表示輝度を制御することを特徴とする請求項１記載の情報端末。
【請求項３】
前記視認性制御手段は、前記表示対象のコントラストを制御することを特徴とする請求項１または２に記載の情報端末。
【請求項４】
前記視認性制御手段は、前記表示対象の色相、彩度、明度の少なくとも１つを制御することを特徴とする請求項１ないし３のいずれか一に記載の情報端末。
【請求項５】
前記視認性制御手段は、前記表示対象と背景との間の色相、彩度、明度の少なくとも１つの差異を小さくするように制御することを特徴とする請求項１ないし３のいずれか一に記載の情報端末。
【請求項６】
前記視認性制御手段は、前記表示手段における表示対象の表示範囲を制限することを特徴とする請求項１ないし５のいずれか一に記載の情報端末。
【請求項７】
前記表示対象の表示輝度、コントラスト、色相、彩度、明度を設定する設定手段を具備することを特徴とする請求項１ないし６のいずれか一に記載の情報端末。
【請求項８】
前記表示対象の表示輝度、コントラスト、色相、彩度、明度の複数の組み合わせを予め記憶するモード記憶手段と、
前記モード記憶手段に記憶されている複数の組み合わせの中からいずれか１つの組み合わせを使用する設定値として選択する選択手段と
を具備することを特徴とする請求項１ないし７のいずれか一に記載の情報端末。
【請求項９】
無線通信により他の情報端末と通信する通信手段と、
前記視認性制御手段による前記表示対象の視認性の制御に連動して、前記通信手段による通信を制御する通信制御手段と
を具備することを特徴とする請求項１ないし８のいずれか一に記載の情報端末。
【請求項１０】
文字や画像などの情報を表示制御する情報端末の表示制御方法において、
前記情報端末の使用形態に基づいて、表示対象の表示輝度、コントラスト、色相、彩度、明度、表示範囲の少なくとも１つを制御して、前記表示対象の視認性を制御することを特徴とする表示制御方法。
【請求項１１】
前記表示対象と背景との間の色相、彩度、明度の少なくとも１つの差異が小さくなるように制御することを特徴とする請求項１０記載の表示制御方法。
【発明の詳細な説明】
【技術分野】
【０００１】
本発明は、情報端末および表示制御方法に関する。
【背景技術】
【０００２】
近年、携帯端末は、通話のみならずメールやコンテンツからの文字や画像情報を表示して認識することによるコミュニケーションや情報収集が日常的となってきている。また、携帯端末は、ユピキタス性に優れるが、反面、例えば電車の社内等で他人に携帯端末の表示情報を知られたくないという要望もあり、表示画面に偏向特性や微細なルーバーを付与したフィルム等を貼り付けるユーザもいる。携帯無線機において、特殊なフィルタ等を用いずにプライバシを保護する技術が開示されている（例えば特許文献１参照）。
【特許文献１】特開２００１−２１７７４０号公報
【発明の開示】
【発明が解決しようとする課題】
【０００３】
しかしながら、上述した従来技術では、単に蓋部の開閉と表示部のオン、オフを連動させるだけであり、様々な使用形態でプライバシを保護するなど、様々な使用形態で表示対象の視認性を制御することが困難であるという問題があった。
【０００４】
本発明は、このような事情を考慮してなされたものであり、その目的は、使用形態に応じて表示対象の視認性を制御することができる情報端末および表示制御方法を提供することにある。
【課題を解決するための手段】
【０００５】
上述した課題を解決するために、本発明は、文字や画像などの情報を表示する情報端末において、前記情報を記憶する記憶手段と、前記情報を表示する表示手段と、使用形態を指定する使用形態指定手段と、前記記憶手段に記憶されている情報を前記表示手段に表示する際に、前記使用形態指定手段により指定される使用形態に基づいて、表示対象の視認性を制御する視認性制御手段とを具備することを特徴とする。
【０００６】
本発明は、上記の発明において、前記視認性制御手段は、前記表示対象の表示輝度を制御することを特徴とする。
【０００７】
本発明は、上記の発明において、前記視認性制御手段は、前記表示対象のコントラストを制御することを特徴とする。
【０００８】
本発明は、上記の発明において、前記視認性制御手段は、前記表示対象の色相、彩度、明度の少なくとも１つを制御することを特徴とする。
【０００９】
本発明は、上記の発明において、前記視認性制御手段は、前記表示対象と背景との間の色相、彩度、明度の少なくとも１つの差異を小さくするように制御することを特徴とする。
【００１０】
本発明は、上記の発明において、前記視認性制御手段は、前記表示手段における表示対象の表示範囲を制限することを特徴とする。
【００１１】
本発明は、上記の発明において、前記表示対象の表示輝度、コントラスト、色相、彩度、明度を設定する設定手段を具備することを特徴とする。
【００１２】
本発明は、上記の発明において、前記表示対象の表示輝度、コントラスト、色相、彩度、明度の複数の組み合わせを予め記憶するモード記憶手段と、前記モード記憶手段に記憶されている複数の組み合わせの中からいずれか１つの組み合わせを使用する設定値として選択する選択手段とを具備することを特徴とする。
【００１３】
本発明は、上記の発明において、無線通信により他の情報端末と通信する通信手段と、前記視認性制御手段による前記表示対象の視認性の制御に連動して、前記通信手段による通信を制御する通信制御手段とを具備することを特徴とする。
【００１４】
上述した課題を解決するために、本発明は、文字や画像などの情報を表示制御する情報端末の表示制御方法において、前記情報端末の使用形態に基づいて、表示対象の表示輝度、コントラスト、色相、彩度、明度、表示範囲の少なくとも１つを制御して、前記表示対象の視認性を制御することを特徴とする。
【００１５】
本発明は、上記の発明において、前記表示対象と背景との間の色相、彩度、明度の少なくとも１つの差異が小さくなるように制御することを特徴とする。
【発明の効果】
【００１６】
この発明によれば、記憶手段に記憶されている情報を表示手段に表示する際に、視認性制御手段によって、使用形態指定手段により指定される使用形態に基づいて、表示対象の視認性を制御する。したがって、使用形態に応じて表示対象の視認性を制御することができるという利点が得られる。
【発明を実施するための最良の形態】
【００１７】
以下、本発明の一実施形態による情報端末を、図面を参照して説明する。
図１は、本発明の実施形態による情報端末を示すブロック図である。図において、表示装置１は、液晶表示装置などからなる。入力装置２は、各種機能キーやテンキーなどからなり、特に本実施形態では、上記表示装置の表示モードを変更指示する。データ記憶装置３は、後述する複数の表示モード毎に、表示装置１に関する設定値（輝度、コントラスト、色合い、フォント色、表示エリアのサイズ）を変更可能に保持している。表示モードとしては、プライバシモード、ドライブモード、屋外モード、屋内モード、その他（ユーザ設定値）などがある。なお、デフォルトとしては、例えばプライバシモードが予め設定されている。
【００１８】
ここで、図２は、データ記憶装置３に記憶されている各表示モードの設定値の例を示す概念図である。図において、各パラメータの設定値は、１〜５までの５段階で設定可能となっている。プライバシモード（デフォルトモード）では、液晶輝度が２、液晶コントラストが１、色合いが５、フォント色が２、表示エリアが３となっている。特に、上述したプライバシモードでは、表示対象である文字とその背景との間の色相、彩度、明度などの差異が小さくなるように、例えば、背景が白で、文字が黒であれば、文字を灰色（グレー）にするとか、背景が赤で、文字が白であれば、文字をピンクにするように設定している。
【００１９】
同様に、ドライブモードでは、液晶輝度が１、液晶コントラストが１、色合いが１、フォント色が１、表示エリアが１となっている。なお、該ドライブモードは、外部入力利用が「キーレスエントリ」、すなわち自動車の鍵が解除されたことを契機に採用されるモードである。特に、ドライブモードでは、表示対象の表示範囲の全体を制限して、メール内容などを表示させないようにし、また、メール画面でブラックアウトさせ、「ただいま自動車運転中です」などのようなメッセージだけを表示してもよい。さらに、情報端末が通話可能な通信端末、例えば携帯電話などの場合には、通話機能を制限する機能と連動してもよい。
【００２０】
また、屋外モードでは、液晶輝度が２、液晶コントラストが４、色合いが５、フォント色が５、表示エリアが５となり、屋内モードでは、液晶輝度が５、液晶コントラストが３、色合いが５、フォント色が５、表示エリアが５となっている。なお、屋外モードおよび屋内モードでは、外部入力利用が「光センサ」となっているように、光センサによる明度に従って適用されるモードである。そして、その他（ユーザ設定値）では、液晶輝度が２、液晶コントラストが４、色合いが３、フォント色が５、表示エリアが４となっている。
【００２１】
近距離無線装置４は、自動車の鍵が解除された旨を、無線を介して検知する。すなわち、ユーザがこれから自動車を運転する状況であることを検知する。光センサ５は、周囲の明度を検知する。視認力抑制装置６は、入力装置２からの表示モード変更指示、近距離無線装置４からの自動車の鍵解除の有無、あるいは光センサ５による周囲の明度に従って、いずれの表示モードで表示装置２の表示を制御するかを判断し、データ記憶装置３に記憶されている、それぞれの表示モードでの設定値に従って、表示装置１の表示を制御する。
【００２２】
次に、上述した実施形態による情報端末の動作について説明する。ここで、図３は、表示モードの設定動作を説明するためのフローチャートである。表示モード設定機能が起動されると、まず、デフォルト値を利用するか否か、すなわちデフォルトモード（プライバシモード）を利用するか否かを判断し（Ｓ１０）、デフォルト値を利用する場合には、データ記憶装置３のプライバシモードをそのまま表示モードとして設定し（Ｓ１１）、表示装置１の設定値を、デフォルトモード（プライバシモード）に対する各種パラメータの設定値に変更し（Ｓ１２）、設定値を反映させて当該処理を終了する。
【００２３】
一方、デフォルト値を利用しない場合には、ユーザが任意にパラメータ値を設定する個別モードに設定し（Ｓ１３）、まず、モードを入力させる（Ｓ１４）。次に、外部入力利用設定を入力させ（Ｓ１５）、各パラメータ（輝度、コントラスト、色合い、フォント色、表示エリアのサイズ）の設定値を５段階で入力させる（Ｓ１６）。そして、表示装置１の設定値を、入力された設定値に変更し（Ｓ１７）、設定値を反映させて当該処理を終了する。
【００２４】
次に、図４は、表示モードの変更動作を説明するためのフローチャートである。表示モード変更機能が起動されると、まず、どのモードを利用するか否かを判断する（Ｓ２０）。ここで、例えばプライバシモードの設定が指示された場合には（Ｓ２１）、プライバシモードの設定値をデータ記憶装置３から読み出し（Ｓ２２）、読み出した設定値に変更し（Ｓ２３）、設定値を反映させて当該処理を終了する。
【００２５】
また、例えばドライブモードの設定が指示された場合には（Ｓ２４）、ドライブモードの設定値をデータ記憶装置３から読み出し（Ｓ２５）、読み出した設定値に変更し（Ｓ２６）、設定値を反映させて当該処理を終了する。
【００２６】
他のモードでも同様に、指示されたモードの設定値をデータ記憶装置３から読み出し、読み出した設定値に変更し、設定値を反映させて当該処理を終了する。
【００２７】
ここで、図５は、各表示モードにおける表示例を示す模式図である。上述した処理の結果、通常モードでは、図５のメール作成画面１００やメール閲覧画面１０１のように表示される。これに対して、自動車乗車時には、近距離無線装置４が自動車の鍵が解除されたことを検知するので、ドライブモードが自動的に設定される。該ドライブモードでは、図５の画面１０２に示すように、液晶輝度が１（暗い）、液晶コントラストが１（薄い）、色合いが１（グレー）、フォント色が１（グレー）、表示エリアが１（最小）で表示制御される。
【００２８】
また、光センサ５からの明度に従って、屋外（晴天時）にいると判断された場合には、屋外モードが自動的に設定される。該屋外モードでは、図５の画面１０３に示すように、液晶輝度が２（やや暗い）、液晶コントラストが４（やや濃い）、色合いが５（カラー）、フォント色が５（黒）、表示エリアが５（最大）で表示制御される。また、光センサ５からの明度に従って、何らかの建物に居る場合や交通機関に乗車した場合など判断された場合には、屋内モードが自動的に設定される。該屋内モードでは、図５の画面１０４に示すように、液晶輝度が５（明るい）、液晶コントラストが３（中間）、色合いが５（カラー）、フォント色が５（黒）、表示エリアが５（最大）で表示制御される。また、デフォルトモード（プライバシモード）に設定されている場合には、図５の画面１０５に示すように、液晶輝度が２（やや暗い）、液晶コントラストが１（薄い）、色合いが５（カラー）、フォント色が２（ややグレー）、表示エリアが３（普通）で表示制御される。
【００２９】
なお、上述した実施形態においては、視認力抑制装置６は、コンピュータシステム内で実行される。そして、上述した視認力抑制装置６による一連の処理の過程は、プログラムの形式でコンピュータ読み取り可能な記録媒体に記憶されており、このプログラムをコンピュータが読み出して実行することによって、上記処理が行われる。すなわち、視認力抑制装置６における機能は、ＣＰＵ等の中央演算処理装置がＲＯＭやＲＡＭ等の主記憶装置に上記プログラムを読み出して、情報の加工・演算処理を実行することにより、実現されるものである。
【００３０】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、本実施形態では、情報端末について説明したが、これに限らず、携帯電話機、モバイル端末、ＰＤＡなどに適用してもよい。
【図面の簡単な説明】
【００３１】
【図１】本発明の実施形態による情報端末を示すブロック図である。
【図２】データ記憶装置３に記憶されている各表示モードの設定値の例を示す概念図である。
【図３】表示モードの設定動作を説明するためのフローチャートである。
【図４】表示モードの変更動作を説明するためのフローチャートである。
【図５】各表示モードにおける表示例を示す模式図である。
【符号の説明】
【００３２】
１  表示装置（表示手段）
２  入力装置（設定手段、使用形態指定手段、選択手段）
３  データ記憶装置（記憶手段、モード記憶手段）
４  近距離無線装置（使用形態指定手段）
５  光センサ（使用形態指定手段）
６  視認力抑制装置（視認性制御手段）
【図１】
2006126461.tif 000003
【図２】
2006126461.tif 000004
【図３】
2006126461.tif 000005
【図４】
2006126461.tif 000006
【図５】
2006126461.tif 000007